(57)【要約】【課題】部品数を増加させることなく、正規嵌合方向の弾性付勢によって嵌合方向のガタを抑制できるコネクタを提供する。【解決手段】コネクタ１１は、一対のメスハウジング１７及びオスハウジング１９におけるメスハウジング１７に形成されたフード進入部２１とオスハウジング１９に形成されたフード部２３とを嵌合状態にロックするロック受け部６１及びロックアーム７３と、フード部２３の底部に一体成形され、正規嵌合位置１０５においてフード進入部２１に係合し、フード進入部２１を正規嵌合方向へ弾性付勢するガタ防止アーム１０１と、を備える。【選択図】図８
2014207101.tif 000002
【特許請求の範囲】
【請求項１】
一対のコネクタハウジングにおける一方のコネクタハウジングに形成された内筒部と他方のコネクタハウジングに形成された外筒部とを嵌合状態にロックするロック手段と、
前記外筒部の底部に一体成形され、正規嵌合位置において前記内筒部に係合し、前記内筒部を正規嵌合方向へ弾性付勢する補助アームと、
を備えることを特徴とするコネクタ。
【請求項２】
前記補助アームは、
コネクタ嵌合方向へ延びる片持ちアームと、
前記片持ちアームの先端部に突設され、前記内筒部に形成された受け部を正規嵌合方向へ付勢するテーパ面を備えた係合突起と、
を備えることを特徴とする請求項１に記載のコネクタ。
【発明の詳細な説明】
【技術分野】
【０００１】
本発明は、コネクタに関する。
【背景技術】
【０００２】
一対のコネクタハウジングを嵌合するコネクタには、コネクタハウジング同士のガタつきを防止する工夫がなされたものがある。
例えば特許文献１に開示される図９に示すコネクタ５０１は、オスコネクタハウジング５０３にバネ５０５を設け、メスコネクタハウジング５０７にバネ５０５と係合する係合部５０９を設ける。また、オスコネクタハウジング５０３のフード部５１１の左右両側部のコネクタ嵌合方向の後部には、バネ５０５を収容固定するためのポケット部５１３が設けられている。そして、これらバネ５０５と係合部５０９の係合により、コネクタ嵌合時のガタつきを防止する。バネ５０５と係合部５０９は、ロックアーム（不図示）とロック突起（不図示）がロックする両コネクタハウジングの嵌合終期の段階において初めて互いに係合する位置に設けられる。バネ５０５と係合部５０９が係合した状態において、バネ５０５が係合部５０９に対し、コネクタ嵌合方向に沿った前後方向（図９の上下方向）と、左右方向（図９の左右方向）と、上下方向（図９の紙面垂直方向）の３方向にそれぞれ弾性反力を及ぼすように構成されている。このコネクタ５０１によれば、コネクタ嵌合時の様々な方向のガタつきを有効に防止することができる。
【０００３】
また、図１０（ａ）に示すように、特許文献２に開示されるコネクタ５１５は、一対の樹脂製の雄コネクタハウジング５１７及び雌コネクタハウジング５１９における雄コネクタハウジング５１７に形成された内筒部５２１と、雌コネクタハウジング５１９に形成された外筒部５２３とを嵌合する。コネクタ５１５は、正規嵌合位置で、双方に亘って設けたロック手段である係止突起（不図示）、ロックアーム（不図示）にて離脱方向の移動が規制される。正規嵌合位置で内筒部５２１の嵌合により押圧されて弾性変形するガタ詰め片５２５が、外筒部５２３の底部である奥壁５２７に一体成形されている。ガタ詰め片５２５は、図１０（ｂ）に示すように、嵌合方向と直交する方向に突出するアーム５２９と、このアーム５２９の先端から嵌合方向と平行な方向に沿って内筒部５２１へ向かって突出する水平突起部５３１と、からなる。このコネクタ５１５によれば、コネクタ５１５に振動が加わった際のコネクタ嵌合方向のガタつきを抑制できる。
【先行技術文献】
【特許文献】
【０００４】
【特許文献１】特開２０１１−４０２５１号公報
【特許文献２】特開２０１１−５４５３４号公報
【発明の概要】
【発明が解決しようとする課題】
【０００５】
一般的にコネクタでは、コネクタ嵌合後、ロックアームの確実な係りを保障するための寸法公差により、オスメスコネクタ同士の嵌合方向にガタが生じる。そこで、振動による端子接点部の磨耗や、ガタによる端子接触代の低下などが懸念される。図９に示したコネクタ５０１は、オスコネクタハウジング５０３にバネ５０５を設けることで、コネクタ嵌合時の様々な方向のガタつきを有効に防止するが、専用別部材である複数のバネ５０５を組み込まなければならず、部品数が増加する。また、図１０に示したコネクタ５１５は、部品数の増加はないが、ガタ詰め片５２５が、内筒部５２１や外筒部５２３を正規嵌合方向と反対方向へ弾性付勢してコネクタ嵌合方向のガタつきを抑制している。このため、両コネクタハウジングの嵌合終期の段階において挿入力が大きくなり、嵌合作業性（嵌合終期段階における嵌合感も含む）が低下する。なお、嵌合感の低下とは、嵌合終期段階においても挿入力が徐々に増加することで、ロックアーム係止時の反発力消失による節度感が確認しにくくなることである。
【０００６】
本発明は上記状況に鑑みてなされたもので、その目的は、部品数を増加させることなく、正規嵌合方向の弾性付勢によって嵌合方向のガタを抑制できるコネクタを提供することにある。
【課題を解決するための手段】
【０００７】
本発明に係る上記目的は、下記構成により達成される。
（１）  一対のコネクタハウジングにおける一方のコネクタハウジングに形成された内筒部と他方のコネクタハウジングに形成された外筒部とを嵌合状態にロックするロック手段と、前記外筒部の底部に一体成形され、正規嵌合位置において前記内筒部に係合し、前記内筒部を正規嵌合方向へ弾性付勢する補助アームと、を備えることを特徴とするコネクタ。
【０００８】
上記（１）の構成のコネクタによれば、一方のコネクタハウジングに形成された内筒部が、他方のコネクタハウジングに形成された外筒部の内側に挿入されることで、一対のコネクタハウジングが嵌合される。内筒部が外筒部の所定深さまで挿入されて一対のコネクタハウジングが正規嵌合位置まで嵌合されると、内筒部と外筒部に亘って設けられたロック手段によって、内筒部と外筒部の嵌合解除方向の移動が規制される。また、一対のコネクタハウジングが正規嵌合位置に達すると、内筒部は、外筒部の底部に一体成形された補助アームによって正規嵌合方向へ弾性付勢される。正規嵌合方向へ弾性付勢された内筒部は、ロック手段の係りを保障する寸法公差代分移動した後、挿入先端面が外筒部の奥壁嵌合面に当接する。補助アームにより正規嵌合方向へ弾性付勢された内筒部の挿入先端面は、外筒部の奥壁嵌合面に当接し、嵌合方向のガタが抑制される。
【０００９】
（２）  上記（１）の構成のコネクタであって、前記補助アームは、コネクタ嵌合方向へ延びる片持ちアームと、前記片持ちアームの先端部に突設され、前記内筒部に形成された受け部を正規嵌合方向へ付勢するテーパ面を備えた係合突起と、を備えることを特徴とするコネクタ。
【００１０】
上記（２）の構成のコネクタによれば、外筒部に設けられる補助アームが、片持ちアームを備える。片持ちアームは、基端側が外筒部に接続され、自由端側が外筒部の開口側に向かって突出される。上記のように、内筒部は外筒部の内方に挿入されるが、この際、片持ちアームは内筒部の外側に沿うようにして相対的に移動される。片持ちアームの先端部には、内筒部の外側に対向して係合突起が突設される。係合突起には、テーパ面が形成される。内筒部の外側には受け部が形成される。係合突起は、内筒部と外筒部の嵌合途中において、片持ちアームが弾性変形して受け部を乗り越える。内筒部と外筒部が正規嵌合位置となったとき、弾性復元途中の片持ちアームは、その弾性復元力によって係合突起のテーパ面を受け部に圧接させる。このテーパ面を受け部に圧接させる力は、内筒部の挿入先端面を外筒部の奥壁嵌合面へ押圧する方向の分力となって内筒部の受け部に作用する。これにより、内筒部の挿入先端面は、外筒部の奥壁嵌合面に当接し、嵌合方向のガタが抑制される。即ち、片持ちアームの長さや太さ、係合突起におけるテーパ面の傾斜角度等を適宜設定することで、内筒部を正規嵌合方向へ弾性付勢する弾性力の調整が容易となる。
【発明の効果】
【００１１】
本発明に係るコネクタによれば、部品数を増加させることなく、正規嵌合方向の弾性付勢によって嵌合方向のガタを抑制できる。
【００１２】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１３】
【図１】本発明の一実施形態に係るコネクタの分解斜視図である。
【図２】（ａ）は図１に示した他方のコネクタハウジングの端子挿入前の縦断面図、（ｂ）は（ａ）に示した他方のコネクタハウジングの端子収容後の縦断面図である。
【図３】（ａ）は図１に示した一方のコネクタハウジングの端子挿入前の縦断面図、（ｂ）は（ａ）に示した一方のコネクタハウジングの端子収容後の縦断面図である。
【図４】（ａ）は図２（ａ）に示した他方のコネクタハウジングにおけるオススペーサ仮係止状態の嵌合方向直交断面図、（ｂ）は図３（ａ）に示した一方のコネクタハウジングにおけるメススペーサ仮係止状態の嵌合方向直交断面図である。
【図５】（ａ）は図２（ｂ）に示した他方のコネクタハウジングにおけるオススペーサ本係止状態の嵌合方向直交断面図、（ｂ）は図３（ｂ）に示した一方のコネクタハウジングにおけるメススペーサ本係止状態の嵌合方向直交断面図である。
【図６】（ａ）は図５（ａ）に示した他方のコネクタハウジングの縦断面図、（ｂ）は図５（ｂ）に示した一方のコネクタハウジングの縦断面図である。
【図７】（ａ）は本発明の一実施形態に係るコネクタの嵌合前の側面図、（ｂ）は（ａ）に示したコネクタの嵌合後の縦断面図、（ｃ）は（ｂ）に示したコネクタの嵌合解除時の縦断面図である。
【図８】図７（ｂ）に示したコネクタの要部拡大縦断面図である。
【図９】（ａ）はガタつき防止のバネを備える従来のコネクタの水平断面図、（ｂ）は（ａ）の要部拡大図である。
【図１０】（ａ）はガタつき防止のガタ詰め片を備える従来のコネクタの縦断面図、（ｂ）は（ａ）のＡ部拡大図である。
【発明を実施するための形態】
【００１４】
以下、本発明に係る実施形態を図面を参照して説明する。
図１に示すように、本発明の一実施形態に係るコネクタ１１は、メスコネクタ１３と、オスコネクタ１５とからなる。メスコネクタ１３及びオスコネクタ１５は、一対のコネクタハウジングであるメスハウジング１７とオスハウジング１９とを有する。一方のコネクタハウジングであるメスハウジング１７には、内筒部であるフード進入部２１が形成される。また、他方のコネクタハウジングであるオスハウジング１９には、外筒部であるフード部２３が形成される。コネクタ１１は、これらフード進入部２１とフード部２３を嵌合状態にロックするロック手段を備える。メスハウジング１７は、メス端子２５を収容する。また、メスハウジング１７は、メススペーサ２９を備える。オスハウジング１９は、オス端子３１を収容する。また、オスハウジング１９は、オススペーサ３５を備える。コネクタ１１は、メスコネクタ１３とオスコネクタ１５とが嵌合されて、メス端子２５とオス端子３１が導通接続される。
【００１５】
図２（ａ）及び（ｂ）に示すように、オス端子３１は、導電性金属からなり、先端側からタブ状電気接触部３７、ランス係止部３９、スペーサ当接部４１、導体圧着部４３、絶縁被覆圧着部４５が連設されている。タブ状電気接触部３７は、メス端子２５に挿入されてメス端子２５と導通接続される。ランス係止部３９は、後方からランス４７に係止された一次係止状態となり、オス端子３１の後抜けが規制される。スペーサ当接部４１は、オススペーサ３５に形成された二次係止部４９が当接された二次係止状態となる。導体圧着部４３は、絶縁被覆５１の除去された電線５３の導体に圧着される。絶縁被覆圧着部４５は、電線５３が絶縁被覆５１の外周から圧着され、これによりオス端子３１が電線５３の端末に固定される。
【００１６】
オスハウジング１９及びオススペーサ３５は、絶縁性合成樹脂により成形される。オスハウジング１９の前端側にはフード部２３が形成され、フード部２３はメスコネクタ１３のフード進入部２１（図１参照）を内方に受け入れる。オスハウジング１９の後端側にはオス端子装着開口部５５が形成され、オス端子装着開口部５５は装着時のオス端子３１の挿入を可能とする。フード部２３の上壁部５７には、ロックアーム進入凹部５９が下向きに開口して形成される。ロックアーム進入凹部５９は、下向きに突出する突起状のロック受け部６１を有する。
【００１７】
オスハウジング１９にはオス端子収容室６３が複数画成される。それぞれのオス端子収容室６３は、前方がオス端子突出孔６５となってフード部２３の内方に開口し、後方がオス端子装着開口部５５に通じる。それぞれのオス端子収容室６３には、弾性係止片であるランス４７が形成されている。ランス４７は、オス端子収容室６３に、正規位置で挿入されたオス端子３１のランス係止部３９を係止し、オス端子３１のオス端子収容室６３からの後抜けを規制する。
【００１８】
オスハウジング１９の一側面（図２の下側の面）には、オススペーサ挿入口６７が開口されている。オススペーサ挿入口６７は、オススペーサ３５をオスハウジング１９の内方へ組み込み可能とする。オススペーサ挿入口６７は、オスハウジング１９の下面側からそれぞれのオス端子収容室６３の下側に二次係止部４９が突出可能となる深さで凹設されている。
【００１９】
図３（ａ）及び（ｂ）に示すように、メス端子２５は、導電性金属からなり、先端側から箱状電気接触部６９、ランス係止部３９、スペーサ当接部４１、導体圧着部４３、絶縁被覆圧着部４５が連設されている。箱状電気接触部６９は、オス端子３１のタブ状電気接触部３７を受け入れてオス端子３１と導通接続される。ランス係止部３９は、後方からランス４７に係止された一次係止状態となり、メス端子２５の後抜けが規制される。スペーサ当接部４１は、メススペーサ２９に形成された二次係止部４９が当接された二次係止状態となる。導体圧着部４３は、絶縁被覆５１の除去された電線５３の導体に圧着される。絶縁被覆圧着部４５は、電線５３が絶縁被覆５１の外周から圧着され、これによりメス端子２５が電線５３の端末に固定される。
【００２０】
メスハウジング１７及びメススペーサ２９は、絶縁性合成樹脂により成形される。メスハウジング１７の前端側にはフード進入部２１が形成され、フード進入部２１はオスコネクタ１５のフード部２３の内方に挿入される。メスハウジング１７の後端側にはメス端子装着開口部７１が形成され、メス端子装着開口部７１は装着時のメス端子２５の挿入を可能とする。フード進入部２１の上壁部には、片持ち弾性腕状のロックアーム７３が形成される。ロックアーム７３は、メスハウジング１７の外面７５に対向する側と反対側にロック爪７７が突設される。このロック爪７７がオスコネクタ１５の上記ロック受け部６１と係合することにより（図７（ｂ）参照）、ロックアーム７３は、オスコネクタ１５とメスコネクタ１３を嵌合状態にロックする。ロックアーム７３は、外面７５に接近する方向に押されることで、ロック受け部６１からロック爪７７が離反して、オスコネクタ１５とメスコネクタ１３の嵌合ロック状態を解除する（図７（ｃ）参照）。
【００２１】
メスハウジング１７にはメス端子収容室７９が複数画成される。それぞれのメス端子収容室７９は、前方がオス端子進入孔８１となってフード進入部２１の前面に開口し、後方がメス端子装着開口部７１に通じる。それぞれのメス端子収容室７９には、弾性係止片であるランス４７が形成されている。ランス４７は、メス端子収容室７９に、正規位置で挿入されたメス端子２５のランス係止部３９を係止し、メス端子２５のメス端子収容室７９からの後抜けを規制する。
【００２２】
メスハウジング１７の一側面（図３の下側の面）には、メススペーサ挿入口８３が開口されている。メススペーサ挿入口８３は、メススペーサ２９をメスハウジング１７の内方へ組み込み可能とする。メススペーサ挿入口８３は、メスハウジング１７の下面側からそれぞれのメス端子収容室７９の下側に二次係止部４９が突出可能となる深さで凹設されている。
【００２３】
図４（ａ）に示すように、オスハウジング１９の両側壁部には、下側から上側に延在する係止側板挿入凹部８５が形成されている。係止側板挿入凹部８５の凹部内面には、第１係止受け部８７と第２係止受け部８９とがオススペーサ挿入方向の手前側から順に突設されている。第１係止受け部８７は、スペーサ挿入方向の手前側がガイド斜面９１となり、その反対側が仮係止垂直面９３となる。第２係止受け部８９は、スペーサ挿入方向の手前側がガイド斜面９１となり、その反対側が本係止斜面９５となる。これら第１係止受け部８７及び第２係止受け部８９は、オススペーサ３５を、仮係止位置及び本係止位置に保持するためのものである。
【００２４】
また、図４（ｂ）に示すように、メスハウジング１７の両側壁部には、下側から係止側板挿入凹部８５が形成されている。係止側板挿入凹部８５の凹部内面には、第１係止受け部８７と第２係止受け部８９とがメススペーサ挿入方向の手前側から順に突設されている。第１係止受け部８７は、スペーサ挿入方向の手前側がガイド斜面９１となり、その反対側が仮係止垂直面９３となる。第２係止受け部８９は、スペーサ挿入方向の手前側がガイド斜面９１となり、その反対側が本係止斜面９５となる。これら第１係止受け部８７及び第２係止受け部８９は、メススペーサ２９を、仮係止位置及び本係止位置に保持するためのものである。
【００２５】
オススペーサ３５及びメススペーサ２９の両側には、係止側板９７が対向して配設されている。この係止側板９７の内側対向面の上端には、図４に示す係止爪９９が突設される。この係止爪９９は、オススペーサ３５及びメススペーサ２９がオススペーサ挿入口６７及びメススペーサ挿入口８３にそれぞれ挿入されると、上記第１係止受け部８７のガイド斜面９１に乗り上げた後、図４（ａ），（ｂ）に示すように、仮係止垂直面９３に係止されて、第１係止受け部８７と第２係止受け部８９との間に配置される。この状態が、オススペーサ３５及びメススペーサ２９の仮係止位置となる。この仮係止位置においては、図２及び図３に示すように、二次係止部４９がオス端子収容室６３及びメス端子収容室７９へ進入していない。オススペーサ３５及びメススペーサ２９が更に挿入されると、係止爪９９は第２係止受け部８９のガイド斜面９１を乗り越えた後、図５（ａ），（ｂ）に示す本係止斜面９５に係止される。この状態が、オススペーサ３５及びメススペーサ２９の本係止位置である。
【００２６】
オススペーサ３５及びメススペーサ２９には、オス端子収容室６３及びメス端子収容室７９の下側に配置可能となる上記二次係止部４９が設けられている。オススペーサ３５及びメススペーサ２９は、図５に示す本係止位置になると、この二次係止部４９が図６に示すように、オス端子３１及びメス端子２５のスペーサ当接部４１に当たり、オス端子３１及びメス端子２５の後方への抜けを阻止する。
このように、オススペーサ３５及びメススペーサ２９は、オスハウジング１９及びメスハウジング１７に組み込まれ、オス端子収容室６３及びメス端子収容室７９への端子挿入を可能とする仮係止位置（図４参照）と、端子抜け止めをする本係止位置（図５参照）とで係止される。
【００２７】
更に、本実施形態のコネクタ１１は、オスハウジング１９に補助アームであるガタ防止アーム１０１が設けられ、メスハウジング１７にテーパ受け部（受け部）１０３が設けられている。ガタ防止アーム１０１は、フード部２３の底部に一体成形され、コネクタ１１の正規嵌合位置１０５（図８参照）においてフード進入部２１に係合し、該フード進入部２１を正規嵌合方向へ弾性付勢する。
【００２８】
本実施形態のガタ防止アーム１０１は、コネクタ嵌合方向へ延びる片持ちアーム１０７を有する。片持ちアーム１０７は、基端側がフード部２３に接続され、自由端側がフード部２３の開口側に向かって突出される。ガタ防止アーム１０１の先端部には係合突起１０９が突設されている。係合突起１０９は、フード進入部２１に形成されたテーパ受け部１０３を正規嵌合方向へ付勢するテーパ面１１１（図８参照）を備えている。テーパ受け部１０３は、テーパ面１１１に当接可能な凸形状となって、メスハウジング１７の下面側に突設されている。本実施形態のテーパ受け部１０３は、メススペーサ挿入口８３よりも嵌合方向前方側のメスハウジング１７の下面側に配置されている。テーパ受け部１０３の形状や位置は、ガタ防止アーム１０１のテーパ面１１１に当接するものであれば、特に限定されない。但し、ガタ防止アーム１０１とテーパ受け部１０３とは、共にガタ防止アーム１０１の弾性復元力による正規嵌合方向の力を受け続けるため、所定の強度、耐樹脂クリープ性を有することが要件となる。
【００２９】
次に、上記構成を有するコネクタ１１の作用を説明する。
本実施形態に係るメスコネクタ１３は、メスハウジング１７にメススペーサ２９を備えている。メススペーサ２９は、図３（ａ）及び図４（ａ）に示したように、メス端子２５がメス端子収容室７９に挿入される前に、メスハウジング１７に仮係止位置で装着される。図２（ａ）及び図４（ｂ）に示したように、オスコネクタ１５も同様にオススペーサ３５が仮係止位置に装着される。
【００３０】
仮係止位置のメススペーサ２９は、メス端子２５のメス端子収容室７９への挿入を許容する。この状態でメス端子２５がメス端子収容室７９に挿入されると、メス端子２５は、メス端子収容室７９に設けられたランス４７によって係止された一次係止状態とされ、後抜けが規制される（図３（ｂ）参照）。更に、メススペーサ２９が本係止位置へ移動されると、メススペーサ２９の二次係止部４９がメス端子２５のスペーサ当接部４１に当接して、メス端子２５の後抜けが阻止される。これにより、メス端子２５が図６（ｂ）に示すように、二次係止状態とされる。オスコネクタ１５も同様にして図６（ａ）に示すように、オス端子３１が二次係止状態とされる。
【００３１】
図７（ａ）に示すように、メスコネクタ１３は、メス端子２５（図６参照）が二次係止された状態でオスコネクタ１５と嵌合される。コネクタ１１では、メスハウジング１７に形成されたフード進入部２１が、オスハウジング１９に形成されたフード部２３の内側に挿入されることで嵌合される。フード進入部２１がフード部２３の所定深さまで挿入されると、フード進入部２１とフード部２３に亘って設けられたロック手段によって、フード進入部２１とフード部２３の嵌合解除方向の移動が規制される。
本実施形態のロック手段は、フード進入部２１の外方に設けられるロックアーム７３と、フード部２３の内方に設けられるロック受け部６１と、からなる。ロックアーム７３にはロック爪７７が設けられ、このロック爪７７がロック受け部６１に係合（即ち、ロック）する。嵌合方向に相対的に移動するロック爪７７は、ロック受け部６１を乗り越えた後、図７（ｂ）に示すように、ロックアーム７３の弾性復元力によってロック受け部６１に係合する。ロックアーム７３の解除は、図７（ｃ）に示すように、ロックアーム７３の操作部７４を押すことにより、ロック受け部６１からロック爪７７を離反させることにより行う。ロックが解除されたコネクタ１１は、嵌合解除方向への離脱が可能となる。
【００３２】
ところで、コネクタ１１は、ロック爪７７がロック受け部６１を乗り越えて係合すると同時に、フード進入部２１の挿入先端面１１３が、フード部２３の奥壁嵌合面１１５に当接（突き当たった状態に接触）することが望ましい。ところが、製造時の公差等を考慮して、ロック爪７７とロック受け部６１の係合を確実にするためには、ロック受け部６１からロック爪７７を僅かな距離通過させるクリアランスＣ（図８参照）を設ける必要がある。このため、クリアランスＣが設けられたロック手段では、フード進入部２１とフード部２３が嵌合・嵌合解除方向にクリアランスＣ分だけ、移動が可能となる。従って、ロック爪７７とロック受け部６１が接している状態では、フード進入部２１の挿入先端面１１３とフード部２３の奥壁嵌合面１１５がクリアランスＣ分だけ離間することになる。従来のコネクタでは、このクリアランスＣ分だけフード進入部とフード部が相対移動することにより、それぞれに収容された端子同士が擦れ、摩耗が懸念される。
【００３３】
本実施形態のコネクタ１１では、ロック爪７７がロック受け部６１を乗り越えた際、フード進入部２１は、フード部２３のガタ防止アーム１０１によって正規嵌合方向へ弾性付勢される。弾性付勢されたフード進入部２１は、図８に示すように、ロック爪７７がロック受け部６１からクリアランスＣ分移動した後、挿入先端面１１３が、フード部２３の奥壁嵌合面１１５に当接する。補助アームにより正規嵌合方向へ弾性付勢されたフード進入部２１の挿入先端面１１３は、フード部２３の奥壁嵌合面１１５に当接し、嵌合方向のガタが抑制される。
【００３４】
この位置が本実施形態のコネクタ１１においてのフード進入部２１とフード部２３の正規嵌合位置１０５となる。この正規嵌合位置１０５において、フード進入部２１はガタ防止アーム１０１によって弾性付勢され続けている。即ち、ガタ防止アーム１０１は、係合突起１０９のテーパ面１１１をフード進入部２１のテーパ受け部１０３に押し付けることによって、挿入先端面１１３と奥壁嵌合面１１５とを接触（圧接）させている。この圧接により、嵌合方向と嵌合解除方向の移動（即ち、ガタ）が抑制される。圧接状態では、振動等が加えられた場合であっても、フード進入部２１とフード部２３が正規嵌合位置１０５から離反しにくく、振動等による端子接点部の摩耗が抑制される。これにより、摩耗による接触不良や、ガタによる接触代の低下が有効に抑制される。
【００３５】
また、本実施形態のコネクタ１１では、フード部２３に設けられるガタ防止アーム１０１が、片持ちアーム１０７を備えている。片持ちアーム１０７は、基端側がフード部２３に接続され、自由端側がフード進入部２１の開口側に向かって突出される。上記のように、フード進入部２１はフード部２３の内方に挿入されるが、この際、片持ちアーム１０７はフード進入部２１の外側に沿うようして相対的に移動される。片持ちアーム１０７の先端部には、フード進入部２１の外側に対向して係合突起１０９が突設されている。係合突起１０９には、テーパ面１１１が形成されている。フード進入部２１の外側にはテーパ受け部１０３が突設されている。
【００３６】
係合突起１０９は、フード進入部２１とフード部２３の嵌合途中において、片持ちアーム１０７が弾性変形してテーパ受け部１０３を乗り越える。フード進入部２１とフード部２３が正規嵌合位置１０５となったとき、弾性復元途中の片持ちアーム１０７は、その弾性復元力によってテーパ面１１１をテーパ受け部１０３に圧接させる。このテーパ面１１１をテーパ受け部１０３に圧接させる力は、フード進入部２１の挿入先端面１１３をフード部２３の奥壁嵌合面１１５へ押圧する方向の分力となってテーパ受け部１０３に作用する。これにより、フード進入部２１の挿入先端面１１３は、フード部２３の奥壁嵌合面１１５に当接し、嵌合方向のガタが抑制される。即ち、片持ちアーム１０７の長さや太さ、係合突起１０９におけるテーパ面１１１の傾斜角度θ等を適宜設定することで、フード進入部２１を正規嵌合方向へ弾性付勢する弾性力の調整が容易となる。
【００３７】
また、本実施形態のコネクタ１１では、嵌合終期段階において片持ちアーム１０７の付勢方向が嵌合解除方向（図８の左方向）から正規嵌合方向へ反転する。このため、従来構造のように、挿入力が嵌合終期段階において徐々に増加しない。これにより、ロックアーム係止完了直前の挿入抵抗が減少して、ロック爪係止時の節度感が確認し易くなる。
【００３８】
従って、本実施形態に係るコネクタ１１によれば、部品数を増加させることなく、正規嵌合方向の弾性付勢によって嵌合方向のガタを抑制できる。
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００３９】
１１…コネクタ
１７…メスハウジング（一方のコネクタハウジング）
１９…オスハウジング（他方のコネクタハウジング）
２１…フード進入部（内筒部）
２３…フード部（外筒部）
６１…ロック受け部（ロック手段）
７３…ロックアーム（ロック手段）
１０１…ガタ防止アーム（補助アーム）
１０３…テーパ受け部（受け部）
１０５…正規嵌合位置
１０７…片持ちアーム
１０９…係合突起
１１１…テーパ面
【図１】
2014207101.tif 000003
【図２】
2014207101.tif 000004
【図３】
2014207101.tif 000005
【図４】
2014207101.tif 000006
【図５】
2014207101.tif 000007
【図６】
2014207101.tif 000008
【図７】
2014207101.tif 000009
【図８】
2014207101.tif 000010
【図９】
2014207101.tif 000011
【図１０】
2014207101.tif 000012